(57)【要約】【課題】容易に快適な着座感を得つつ、当該快適な着座感を得ながら効率良く執務を進め得る椅子を提供する。【解決手段】本発明に係る椅子は、本実施形態に係る椅子１は、前後方向に延びる左右一対の肘掛面５１の後端５４に、後上方に延びる背凭れ４の左右両端縁部に形成された着座者の肘を補助的に支持するための補助支持面４２が配置されるよう連続部分Ｘを設けていることを特徴とするものである。斯かる構成により、補助支持面４２から肘掛面５１にかけて、着座者の肩、肘、手首まで全体的に支持できるため、着座時のリラックス効果が大きい椅子１が実現されている。【選択図】図１
2019063224.tif 000002
【特許請求の範囲】
【請求項１】
前後方向に延びる左右一対の肘掛面の後端に、後上方に延びる背凭れの左右両端縁部に形成された肘の補助支持面が配置されていることを特徴とする椅子。
【請求項２】
前記肘掛面が座受け面の両端縁を上方に曲げて延長した肘支持部の上端に形成し、前記肘掛面、前記肘支持部、前記座受け面が一体となった着座ユニットを構成している請求項１記載の椅子。
【請求項３】
パイプフレームによって肘掛外側面、座下面、背凭れ後面を支えることを特徴とする請求項２記載の椅子。
【請求項４】
肘掛外側面、座下面、背凭れ後面を支えるパイプフレームを一体的に形成し、このパイプフレームが、前記着座ユニットと前記背凭れとを挟持するように構成している請求項２記載の椅子。
【請求項５】
前記肘掛面、前記補助支持面の着座者に触れる部分にはクッションが配置されている請求項１〜４の何れかに記載の椅子。
【請求項６】
前記背凭れの上端縁に左右両端が前方に延びる目隠しパネルを有するヘッドレストを有する請求項１〜５の何れかに記載の椅子。
【発明の詳細な説明】
【技術分野】
【０００１】
本発明は、オフィス等において好適に使用され得る椅子に関するものである。
【背景技術】
【０００２】
従来、オフィス等において好適に使用され得る椅子においては、主にオフィスユーザーが活用し得る執務スペースに好適に使用され得るような事務用回転椅子に代表される執務用の椅子が配置されている。そして当該執務スペースとは異なる別のスペースとして、来客スペースが設けられている。この来客スペースでは、オフィスに来られた来客が待ち合わせ等のタイミングまで快適に過ごし得るよう、着座感に重点をおいた椅子として、所謂ラウンジチェアと称されるものを配置するようにしてある（例えば、非特許文献１参照）。
【先行技術文献】
【非特許文献】
【０００３】
【非特許文献１】「応接イス  ジョイス２」コクヨ総合カタログ２０１７年版ステーショナリー編，コクヨ株式会社，平成２８年１２月，ｐ．６８４
【発明の概要】
【発明が解決しようとする課題】
【０００４】
そして近年、上記来客スペースは従前から設けられているような執務スペースとは完全に隔離された空間に設けられるのみならず、執務スペースの一部分を割いた形態をなすスペースへ設けられた、所謂仮来客スペースとも称されるような空間が設けられることも増加しているのが現状である。
【０００５】
斯かる場合、上述したような仮来客スペースに好適に対応するための椅子としては、これまでとは異なった特性を要される。
【０００６】
すなわち上記のラウンジチェアと称されるものについて、上述したような仮来客スペースに好適に設置し得る椅子に求められる特性としては、単に来客時において来客者にリラックスし得る着座感を提供し得るのみならず、待ち合わせのために待機する時間に来客者自らの執務を好適に進め得るような機能をも求められているのが現状である。
【０００７】
換言すれば、当該仮来客スペースに要される椅子としては、着座により長時間リラックスし得るという特性のみならず、着座者にリラックスさせながらも着座者自身の執務を好適に進められ、しかも短時間でも心地良い所要の体勢を採り得るとともに、椅子ごと適宜移動し易いような形態とすることが肝要である。そのような形態の椅子であれば、短時間の待ち合わせ時間であっても、使用者が所望の着座感を得つつ少ない時間であっても有効に自身の執務に充てることができる。
【０００８】
具体的には、上記非特許文献１に記載されている椅子の場合のように、背の幅を座の幅と同じにすると、肘掛けに肘を掛けたときに、肘の後ろに背がないので肘から手首までしか支えられない。換言すれば、肘掛けに肘を突いたときに、肘から上腕部あたりを後方へ預けられなくなる。すなわちこのような状況を克服すれば、着座者により快適な着座感を与え得る可能性が増すものと考えられる。更に説明すると、着座者が肘に体重を預けながら行う動作は、椅子近傍に設けられたデスクを利用するという典型的なデスクワークのみならず、着座者自身が端末を手で持ちながらある程度の業務連絡といった執務を行い得るような、所謂スマートフォンや、タブレット端末を快適に使うために適した姿勢を行い易いようにすることが考えられる。
【０００９】
本発明は、上記のような課題を解消することを目的としており、容易に快適な着座感を得つつ、当該快適な着座感を得ながら効率良く執務を進め得る椅子を提供する。
【課題を解決するための手段】
【００１０】
本発明は、かかる目的を達成するために、次のような手段を講じたものである。
【００１１】
すなわち、本発明に係る椅子は、前後方向に延びる左右一対の肘掛面の後端に、後上方に延びる背凭れの左右両端縁部に形成された肘の補助支持面が配置されていることを特徴とする。
【００１２】
このようなものであれば、補助支持面から肘掛面にかけて、着座者の肩、肘、手首まで全体的に支持できるため、着座時のリラックス効果が大きい椅子を提供することができる。換言すれば、本発明によれば、容易に快適な着座感を得つつ、当該快適な着座感を得ながら効率良く執務を進め得る椅子を提供することができる。
【００１３】
椅子の座から肘掛けに掛けての構成をシンプルに構成するためには、肘掛面を座受け面の両端縁を上方に曲げて延長した肘支持部の上端に形成したものとし、肘掛面、肘支持部、座受け面が一体となった着座ユニットを構成していることが望ましい。
【００１４】
外観上目立たなくしつつ椅子全体の強度を確保するための構成として、パイプフレームによって肘掛外側面、座下面、背凭れ後面を支えるといった構成を挙げることができる。
【００１５】
着座ユニットの取付強度をより向上させるためには、肘掛外側面、座下面、背凭れ後面を支えるパイプフレームを一体的に形成し、このパイプフレームが、前記着座ユニットと前記背凭れとを挟持するように構成することが望ましい。
【００１６】
着座者へより快適な着座感を提供するためには、肘掛面、補助支持面の着座者に触れる部分にはクッションを配置することが望ましい。
【００１７】
そして、快適な着座感を維持しながら事務作業等の執務を効率良く進めるようにするためには、背凭れの上端縁に左右両端が前方に延びる目隠しパネルを有するヘッドレストを設けることが望ましい。このような構成であれば、着座者が左右方向からの余計な視覚情報を遮る事が可能なため、さらにリラックスでき、より事務作業等の執務に集中することができる。特に、着座者自身が端末を手で持ちながらある程度の業務連絡といった執務を行い得るような、所謂スマートフォンや、タブレット端末を快適に使うために適した姿勢を行い易い。
【発明の効果】
【００１８】
本発明は、以上説明した構成であるから、容易に快適な着座感を得つつ、当該快適な着座感を得ながら効率良く執務を進め得る椅子を提供することができる。
【図面の簡単な説明】
【００１９】
【図１】本発明の一実施形態に係る外観図。
【図２】同上。
【図３】同実施形態に係る正面図。
【図４】同右側面図。
【図５】図底面図。
【図６】同背面図。
【図７】上記実施形態の変形例に係る外観図。
【発明を実施するための形態】
【００２０】
以下、本発明の一実施形態を、図１〜図６を参照して説明する。
【００２１】
本実施形態の椅子１は、例えばオフィスやロビー、或いは応接スペースにて好適に使用され得る、いわゆるラウンジチェアとして好適に使用され得るものである。
【００２２】
この椅子１は、例えば金属パイプを適宜湾曲成形してなるパイプフレーム２に対し、座３及び肘掛け５を同一の張り地に覆われるよう一体となった着座ユニット１０を構成してなるものである。また、本実施形態では当該着座ユニット１０は、座３、肘掛け５に加え、背凭れ４及びヘッドレスト６をも一体に成形している。
【００２３】
ここで、本実施形態に係る椅子１は、前後方向に延びる左右一対の肘掛面５１の後端５４に、後上方に延びる背凭れ４の左右両端縁部に形成された着座者の肘を補助的に支持するための補助支持面４２が配置されるよう連続部分Ｘを設けていることを特徴とするものである。以下、本実施形態に係る椅子１を構成する各構成要素について説明する。
【００２４】
パイプフレーム２は、図１〜図６に示すように、例えばスチール製のパイプ材からなるものであり、床面から立設される脚フレーム２１と、脚フレーム２１から横方向に分岐するように設けられた座フレーム２２と、脚フレーム２１の後側から上へ延びる背フレーム２３とを略一体的に形成したものである。当該パイプフレーム２は、例えば左右対称をなす適宜曲げ加工された金属パイプを上記座フレーム２２の箇所にて付き合わせることにより、上記脚フレーム２１、座フレーム２２及び背フレーム２３を一体的に構成している。これにより当該パイプフレーム２は、座３、背凭れ４、肘掛け５を下方から好適に支持し得る。脚フレーム２１は、前方に立設される前脚２４と、後方に立設される後脚２５とを有している。前脚２４の上端２６では、肘掛け５を下方から支持している。座フレーム２２は、座３を下方から支持すべく上述した前脚２４及び後脚２５からそれぞれ斜め上方へ延出し、座下面３３に接して支持している。背フレーム２３は、後脚２５から上方に延出して構成され、背凭れ４の後面４４を支持するように形成されている。さらに具体的には、このパイプフレーム２は、肘掛け５の外側面、座下面３３、背凭れ４の後面４４を支えるパイプフレーム２が一体的に形成されており、このパイプフレーム２が、着座ユニット１０と背凭れ４とを挟持するように構成している。
【００２５】
座３は、図１〜図６に示すように、座フレーム２２に下方から支持される座下面３３を有する座受け面たる座受部３１と、この座受部３１の上に載せ置かれる概略クッション状の着座シート３２とを有している。本実施形態では、座受部３１の両側から肘掛け５が一体的に立設されるとともに、座受部３１の後端５４には一体的或いは密着するように背凭れ４が立設されている。また本実施形態では、着座シート３２は張り地の内部にウレタン等のクッション材を設けた構成をしているが、その材質や色彩は勿論、種々変更が可能である。
【００２６】
肘掛け５は、図１〜図６に示すように、座受部３１の両側から一体的に立設されたものであり、当該座受部３１と当該肘掛け５の形状は正面視概略コの字状、詳細にはコの字状の両側に肘掛面５１を延出させた形状を有している。この肘掛け５は、着座者の肘を支持し得る肘掛面５１と、着座者の肘を快適に支持するために内装された肘クッション５３と、下方から脚フレーム２１の前脚２４の上端に支持されてなる肘支持部５２とを有している。そして本実施形態では上述した肘掛面５１の後端５４は、背凭れ４の一部に連続するように形成されている。
【００２７】
背凭れ４は、図１〜図６に示すように、座３の後から立設されながら背フレーム２３に後面４４を支持されているものであり、着座者の背を支持する背凭れ面４１と、内部に構成されたウレタン等からなるクッション性を有する背クッション４３とを主体とする。また本実施形態では、この背凭れ４の上端から一体的にヘッドレスト６が形成されている。
【００２８】
ヘッドレスト６は、図１〜図６に示すように、背凭れ４のみならず座、肘掛け５にも適用されている張り地１ａと同一の張り地１ａに覆われた平面視概略チャネル状に形成されたものである。このヘッドレスト６は、背凭れ面４１と平面視連続しつつ、側面視略垂直に立ち上がるように形成され着座者の頭部を快適に支持するためのヘッドレスト本体６１と、このヘッドレスト本体６１の左右両端が前方に延びる目隠しパネル６２とを有している。
【００２９】
ここで、本実施形態では上述の通り、左右一対の肘掛面５１の後端５４に、後上方に延びる背凭れ４の左右両端縁部に形成された肘の補助支持面４２が配置されるよう連続部分Ｘを設けていることを特徴とする。具体的には、肘掛面５１が座受面の両端縁を上方に曲げて延長した肘支持部５２の上端に形成されることにより、肘掛面５１、肘支持部５２及び座受部３１が一体に構成されている。
【００３０】
すなわち、これまでのラウンジチェアと称されるタイプのものにおいては、背凭れの幅と座の幅とを同じにするために肘掛けに肘を掛けたときに、肘の後ろに背凭れがないので肘から手首までしか支えられないものであった。そのため、肘掛けに肘を突いたときに肘から上腕部あたりを預けられなくなっていた。そこで本実施形態に係る椅子１は、肘掛け５の後ろから上腕部が当たるように、背凭れ４を幅広にして着座者の肘を支持するための補助支持面４２を設けた。加えて本実施形態では上記パイプフレーム２が、椅子１を構成するための通常の脚体の役割を脚フレーム２１として果たしつつ、座３、背凭れ４、肘掛け５及びヘッドレスト６を支持する役割をも担うものとなっている。
【００３１】
以上のように、本実施形態に係る本発明に係る椅子１は、前後方向に延びる左右一対の肘掛面５１の後端５４に、後上方に延びる背凭れ４の左右両端縁部に形成された肘の補助支持面４２が配置されているように連続部分Ｘを設けていることを特徴とする。
【００３２】
斯かる構成により、補助支持面４２から肘掛面５１にかけて、着座者の肩、肘、手首まで全体的に支持できるため、着座時のリラックス効果が大きい椅子１が実現されている。換言すれば、本実施形態によれば、容易に快適な着座感を得つつ、当該快適な着座感を得ながら効率良く執務を進め得る椅子１が実現されている。
【００３３】
椅子１の座から肘掛け５に掛けての構成をシンプルに構成するために本実施形態では、肘掛面５１を座受面たる座受部３１の両端縁を上方に曲げて延長した肘支持部５２の上端に形成したものとし、肘掛面５１、肘支持部５２、座受部３１を一体とした着座ユニット１０を構成している。
【００３４】
外観上目立たなくしつつ椅子１全体の強度を確保するための構成として本実施形態では、パイプフレーム２によって肘掛け５の肘支持部５２の外側面、座下面３３、背凭れ４の後面４４を支えるといった構成を適用している。
【００３５】
また本実施形態では椅子１自体の強度をより高めるべく、このパイプフレーム２は、肘掛け５の外側面、座下面３３、背凭れ４の後面４４を支えるパイプフレーム２が一体的に形成されており、このパイプフレーム２が、着座ユニット１０と背凭れ４とを挟持するように構成している。
【００３６】
着座者へより快適な着座感を提供するために本実施形態では、肘掛面５１、補助支持面４２の着座者に触れる部分にはクッションたる背クッション４３及び肘クッション５３を配置している。
【００３７】
そして、快適な着座感を維持しながら事務作業等の執務を効率良く進めるようにするために本実施形態では、背凭れ４の上端縁に左右両端が前方に延びる目隠しパネル６２を有するヘッドレスト６を設けている。このようにすることで、着座者が左右方向からの余計な視覚情報を遮る事が可能なため、さらにリラックスでき、より事務作業等の執務に集中することが実現されている。
【００３８】
以上、本発明の一実施形態について説明したが、各部の具体的な構成は、上述した実施形態のみに限定されるものではなく、本発明の趣旨を逸脱しない範囲で種々変形が可能である。
【００３９】
例えば図７に本実施形態の変形例として示すように、ヘッドレストを設けない態様としても良い。すなわち、上記実施形態ではヘッドレストを設けることにより着座者の執務をより効率良く行い得るような構成としたが、ヘッドレストを設けない態様としても、本願の所期の目的は達成し得る。
【００４０】
また、座や背凭れの具体的形状や張り地の材質、パイプフレームの具体的な形状や仕様といったその他の詳細な構成も、本発明の趣旨を逸脱しない範囲で種々変形が可能である。
【符号の説明】
【００４１】
１・・・椅子
１０・・・着座ユニット
２・・・パイプフレーム
３１・・・座受け面（座受け部）
３３・・・座下面
４・・・背凭れ
４２・・・補助支持面
４３・・・クッション（背クッション）
４４・・・後面
５１・・・肘掛面
５２・・・肘支持部
５３・・・クッション（肘クッション）
５４・・・後端
６・・・ヘッドレスト
６２・・・目隠しパネル
【図１】
2019063224.tif 000003
【図２】
2019063224.tif 000004
【図３】
2019063224.tif 000005
【図４】
2019063224.tif 000006
【図５】
2019063224.tif 000007
【図６】
2019063224.tif 000008
【図７】
2019063224.tif 000009